(57)【要約】  本発明は、２つの半割部（３、４）をもつバンド（２）を有する鉤爪式固定手段（１）、詳細にはパイプ継手であって、その半割部が、それぞれ、その端部（５）に締付顎（６）を有し、２つの半割部（３、４）の対向する締付顎（６）同士が、いずれも、少なくとも１つの締付要素（７）を用いて互いに連結されている鉤爪式固定手段（１）に関する。本発明によれば、締付顎（６）それぞれが、固定端部（１１）および自由端部（１０）を有する少なくとも１つのラグ（９）を有する。自由端部（１０）が、該自由端部（１０）がそれぞれのラグ（９）の固定端部（１１）に載り２重材料層（１３）を形成するように、曲げられる。２重材料層（１３）の領域に、少なくとも１つの締付要素（７）を送り通すために、少なくとも１つの開口（１４）が形成される。【選択図】  図１
2019532229.tif 000002
【特許請求の範囲】
【請求項１】
２つの半割部（３、４）を有するバンド（２）を備え、前記半割部が、該半割部の端部（５）それぞれに締付顎（６）を有し、前記２つの半割部（３、４）の対向する前記締付顎（６）同士が、それぞれ、少なくとも１つの締付要素（７）を介して互いに連結される、鉤爪式固定装置（１）であって、
前記締付顎（６）それぞれが、固定端部（１１）および自由端部（１０）を有する少なくとも１つのブラケット（９）を有し、
前記自由端部（１０）が、該自由端部（１０）が前記それぞれのブラケット（９）の前記固定端部（１１）に載り２重材料層（１３）を形成するように、折り返され、
前記２重材料層（１３）の領域に、前記少なくとも１つの締付要素（７）を送り通すための少なくとも１つの開口（１４）が形成される、鉤爪式固定装置（１）。
【請求項２】
各締付顎（６）が少なくとも２つのブラケット（９）を有する、請求項１に記載の鉤爪式固定装置（１）。
【請求項３】
前記締付顎（６）がリム（１５）を有し、
該リムが、それぞれ対向する前記締付顎（６）の方向に向いている、請求項１または２に記載の鉤爪式固定装置（１）。
【請求項４】
少なくとも１つの前記ブラケット（９）の前記自由端部（１０）が、前記ブラケット（９）の前記固定端部（１１）の面に載り、
前記ブラケット（９）の前記自由端部（１０）が、第２の前記半割部（３、４）の、対向する前記締付顎（６）の方に向いている、請求項１から３のいずれか一項に記載の鉤爪式固定装置（１）。
【請求項５】
前記締付顎（６）の前記２重材料層（１３）の領域内の少なくとも１つの前記開口（１４）内に雌ねじが形成されている、請求項１から４のいずれか一項に記載の鉤爪式固定装置（１）。
【請求項６】
前記締付顎（６）の少なくとも１つの前記ブラケット（９）の前記自由端部（１０）が、２度以上折り返され、それによって、材料の多層化が達成される、請求項１から５のいずれか一項に記載の鉤爪式固定装置（１）。
【請求項７】
前記半割部（３、４）の軸方向端リム（１６）に、いずれの場合も、部分円形の鉤爪インサート（１７）が配置され、
前記鉤爪インサート（１７）が複数の互いに隣接する鉤爪（１８）を有し、それぞれ軸方向に対向する前記リム（１６）の前記鉤爪インサート（１７）が互いに向かって傾斜している、請求項１から６のいずれか一項に記載の鉤爪式固定装置（１）。
【請求項８】
前記半割部（３、４）の前記軸方向端リム（１６）が半径方向内方へ曲げられ、
前記鉤爪インサート（１７）が、前記リムの屈曲縁部（１９）の領域において、前記半割部の内面に支承される、請求項１から７のいずれか一項に記載の鉤爪式固定装置（１）。
【請求項９】
前記鉤爪インサート（１７）が、１つまたは複数の保持突起（２０）によって所定位置にそれぞれ保持され、
具体的には、前記保持突起（２０）が、それぞれの前記半割部（３、４）の中央または各端部領域に配置される、請求項１から８のいずれか一項に記載の鉤爪式固定装置（１）。
【請求項１０】
前記保持突起（２０）が、それぞれの前記半割部（３、４）から作り出される、請求項１から９のいずれか一項に記載の鉤爪式固定装置（１）。
【請求項１１】
各鉤爪インサート（１７）に対して、少なくとも１つの安定化要素（２１）が設けられ、
前記安定化要素（２１）が、前記鉤爪インサート（１７）の前記鉤爪（１８）を実質的に半径内側方向の向きに安定させる、請求項１から１０のいずれか一項に記載の鉤爪式固定装置（１）。
【請求項１２】
前記安定化要素（２１）が、それぞれの前記半割部（３、４）から作り出される、請求項１から１１のいずれか一項に記載の鉤爪式固定装置（１）。
【請求項１３】
前記半割部（３、４）が開口部（２３）を有し、
前記開口部（２３）の少なくともリム（２４）が、周方向において半径方向内方へ曲げられている、請求項１から１２のいずれか一項に記載の鉤爪式固定装置（１）。
【発明の詳細な説明】
【技術分野】
【０００１】
本発明は、請求項１のプリアンブルによる鉤爪式固定装置に関する。
【背景技術】
【０００２】
半径方向内方に向けられた鉤爪インサートを使用する鉤爪式固定装置は、特に、たとえば鋳鉄製で、ＥＮ８７７による市販のコネクタによって接続されたソケットレス・パイプの軸方向引張固定のために使用される。この種の鉤爪式固定装置が、たとえば特許文献１に示されている。
【０００３】
鉤爪式固定装置は、しばしば、２つの半割部から構成され、それら半割部の端部に締付顎を有する。２つの半割部のそれぞれ対向する締付顎は、締付要素を用いて互いに固定され締め付けられる。締付要素、特にスクリューを安定させるために、スクリュー連結用に追加のアラインメント要素およびプレートが、一般に設けられる。これの欠点は、製造および組立が複雑かつ高価になることである。たとえば、一方で、締付顎を補強する要素のために追加の材料が必要になり、他方で、それぞれの構成要素を個々に製造し、その後、一体に溶接する必要がある。
【０００４】
長手方向に統合された鉤爪式固定装置の鉤爪インサートは、その鉤爪インサートは半割部内で軸方向端リムに半径方向に配置されるが、同様に一体に溶接する必要があり、それによって、鉤爪が固定的に配置されるので、クランプは、所定の公称管径のパイプに対してのみ使用することができる。さらに、溶接の結果として、鉤爪インサートの材質および形状は、一度のみの設定になり、たとえば鉤爪インサートの材質の選択に関するなど、変更に対する個別の要望に柔軟に対応することができない。さらに、鉤爪インサートの溶接は、このタイプの鉤爪式固定装置の製造における作業ステップおよびコストの追加を意味する。さらに、腐食の増加を招くことがあり、それは、鉤爪式固定装置の耐久性を低下させる。
【先行技術文献】
【特許文献】
【０００５】
【特許文献１】欧州特許第１５６８９３０号明細書
【発明の概要】
【発明が解決しようとする課題】
【０００６】
したがって、本発明の目的は、従来技術の欠点を是正することであり、製造が容易で低廉である鉤爪式固定装置を提供することである。さらに、鉤爪式固定装置の組立を簡略化することを目的とする。
【０００７】
さらに、様々な要求、特に材質の要求および様々な公称パイプ径に、柔軟な対応を行うことができる鉤爪インサートを有する鉤爪式固定装置の製造を可能にすることを目的とする。
【課題を解決するための手段】
【０００８】
本発明の主要特徴が、請求項１の特徴部分に定義されている。諸実施形態が、請求項２〜１３の主題である。
【０００９】
２つの半割部を有するバンドを備える鉤爪式固定装置であって、半割部が、該半割部の端部それぞれに締付顎を有し、２つの半割部の対向する締付顎同士が、それぞれ、少なくとも１つの締付要素を介して互いに連結される鉤爪式固定装置において、本発明は、締付顎それぞれが、固定端部および自由端部を有する少なくとも１つのブラケットを有し、自由端部が、該自由端部がそれぞれのブラケットの固定端部に載り２重材料層を形成するように折り返され、２重材料層の領域に、少なくとも１つの締付要素を送り通すための少なくとも１つの開口が形成される。
【００１０】
本発明による構造は、安定化プレートおよびアラインメント要素の形のさらに別の要素をそれ以上設けずに済むことを可能にする。これら要素は、ブラケットを折り返すことによる２重材料層によって置き換えられ、それによって、鉤爪式固定装置の締付けおよび固定において力の作用する締付顎の領域が安定化される。
【００１１】
この設計によって、安定化のための追加の要素はそれ以上必要なくなる。好ましくは、剛性を高めるためにフレア部が設けられる。鉤爪式固定装置の製造は、それによって、複雑さが減り、コスト効果が増す。
【００１２】
さらに、ブラケットを折り返すことによって、別個の安定化要素のための材料を削減することができ、鉤爪式固定装置の材料を可能な限り有効に使用することが可能になる。これはまた、製造コストの低減になる。さらに、金属構成要素の腐食の可能性を少なくとも低減し、さらには排除さえする。この腐食は、たとえば安定化要素に対する締付顎など、個々の構成要素の金属材料が互いに異なることによって引き起こされることがある。
【００１３】
さらに、大きい荷重がかかる締付顎の領域に２重材料層が存在するので、鉤爪式固定装置全体の材料厚さを低減することができる。これはまた、材料コストや、製造コストを低減する。
【００１４】
好ましい実施形態では、各締付顎が少なくとも２つのブラケットを有するようになされる。２つのブラケットが、それぞれ、締付顎の軸方向に対向するリムに配置されると、各締付顎上の２か所に、２重材料層、つまり締付要素を受け入れる開口を設けることができる２つの領域が得られる。その結果、この実施形態では、好ましくは、２つの締付要素が用いられ、それによって、２つの半割部の均一な締付けおよび固定が達成される。
【００１５】
両ブラケットがそれぞれの締付顎の同じ領域に配置され、それぞれの自由端部が鉤爪式固定装置の軸方向両側に構成される場合、両自由端部を折り返すと、両ブラケットが折り重ねられ、材料の多層化を生じる。これにより、締付顎の負荷のかかる領域、特に締付要素を締め付けて固定するための開口を安定化させる。
【００１６】
好ましくは、締付顎がリムを有し、リムが、それぞれ対向する締付顎の方向に向く。このリムにより、締付顎が強化されて安定化される。ブラケットを形作り折り返す結果、もはや材料の無くなった空白空間が締付顎内に形成される。リムは、これら自由空間による材料の弱体化を相殺する。さらに、対向する締付顎の方向にリムを設けることによって、締付顎が、鉤爪式固定装置の組立において怪我の危険性を生じることになる、鋭利な外縁部を有することが防止される。
【００１７】
好ましい実施形態では、少なくとも１つのブラケットの自由端部が、そのブラケットの固定端部の面に載り、その面は、第２の半割部の、対向する締付顎の方に向いている。すなわち、ブラケットは、自由端部が締付顎の底面に来るように折り返される。
【００１８】
代替実施形態では、ブラケットは、ブラケットの自由端部が、締付顎の底面上のブラケットの固定端部に載るように、折り返される。
【００１９】
好ましい改善形態では、締付顎の２重材料層の領域の開口の１つに雌ねじが形成される。その結果、開口に受け入れられた締付要素を、直接固定することができる。締付要素が、具体的には、スクリューを有していれば、さらに別のスクリュー連結要素を必要とせずに、このスクリューを開口の雌ねじにねじ止めすることができる。その結果、コストをここでも削減することができ、製造および組立が簡単になる。
【００２０】
好ましくは、締付顎の２重材料層の領域の開口は、フロー・ドリリングによって生成され、それによって、雌ねじを導入するためにより多くの材料が利用可能になり、ねじの長さを増やすことができる。さらに、ねじの長さが増える結果として、半割同士の締付けの向上が可能になる。
【００２１】
締付要素は、それぞれ、２つの相互に対向する締付顎の２つの開口によって保持され、それによって、２つの半割部が、互いに位置決めされ、締め付けられ、固定される。締付要素としてスクリューが使用される場合、スクリューの頭部から離れて向かい合う開口が、好ましくは、雌ねじを備え、それによって、半割部の締付けをそれ以上の要素なしに実現することができる。
【００２２】
好ましくは、締付顎の少なくとも１つのブラケットの自由端部が、２度以上折り返され、それによって、材料の多層化が達成される。これにより、開口の領域、つまり締付要素の領域をさらに強化する。
【００２３】
好ましい改善形態では、半割部の端部の領域が１つまたは複数のフレア部を有する。フレア部は構成要素の窪みであり、構成要素の剛性を増す。フレア部は、好ましくは、締付顎への移行領域に配置される。具体的には、フレア部は、半径方向外方へ突出する。特に好ましい実施形態では、半割部のそれぞれの端部が、それぞれ２つのフレア部を有する。
【００２４】
この実施形態によって、追加の材料を使用する必要なしに、鉤爪式固定装置のより高い剛性を達成することができる。さらに、フレア部なしの実施形態に比較して、使用する材料の厚さをより薄く選択することができ、それによって材料および製造コストが低減される。
【００２５】
好ましい実施形態では、半割部の軸方向端リムに、いずれも、部分円形の鉤爪インサートが配置され、鉤爪インサートは、周方向に並べて配置された複数の鉤爪を有し、それぞれ軸方向に対向するリムの鉤爪インサート同士は、互いに向かって傾いている。
【００２６】
鉤爪インサートは、接続するパイプの端部を保持し、鉤爪インサートの互いに傾斜したアラインメント、すなわち中心軸に対して傾斜したアラインメントは、鉤爪インサートがパイプ端部を軸方向の引張力に対して固定する効果を有する。部分円形の結果として、さらに、各半割部が、それぞれ、半割部からはみ出さない部分円形の鉤爪インサートを両方の軸方向端リムに有するので、確実に、鉤爪式固定装置を完全に開くことができる。
【００２７】
好ましくは、半割部の軸方向端リムが半径方向内方へ曲げられ、鉤爪インサートが、リムの屈曲縁部の領域において、半割部の内面に支承される。
【００２８】
この構造の結果として、鉤爪インサートを容易に配置することができる。鉤爪インサートを事前伸張することによって、鉤爪インサートの安定なアラインメントが確実に行われる。鉤爪インサートは、この場合、半割部に溶接されず、それによって、製造が簡略化され、費用効果が高くなる。
【００２９】
さらに、一体式接合方式ではなく連結される鉤爪インサートは、柔軟に交換することができ、それによって、個々に別の鉤爪式固定装置の新たな製造ラインを開設する必要なしに、様々な要求に対応することができる。鉤爪式固定装置は、鉤爪インサートなしで製造され、接続されるパイプの望まれる材料または寸法に応じて対応する鉤爪インサートを適合させ、使用することができる。鉤爪インサートを半割部に溶接することを回避することによって、さらに、全ての材料を互いに溶接せずに済むので、２つの構成要素の材料を柔軟に選択することができる。さらに、異なる金属材料から製作された構成要素間の腐食、または、特に、溶接領域の結晶間腐食が防止される。
【００３０】
好ましい実施形態では、鉤爪インサートは、それぞれ、１つまたは複数の保持突起によって所定位置に保持され、具体的には、保持突起は、それぞれの半割部の中央または両端部領域に配置される。特に好ましくは、鉤爪インサートは、２つの保持突起によって所定位置に保持され、具体的には、それぞれ１つの保持突起が、それぞれの半割部のそれぞれの端部領域に配置される。
【００３１】
保持突起は、鉤爪インサートを半割部の軸方向端リムに押し付け、その軸方向端リムは、境界としての役割を果たし、半径方向内方へ曲げられている。さらに、鉤爪インサートの端部は、それぞれの半割部の端部領域で積極的に保持される。その結果、鉤爪インサートを半割部に溶接せずに済ますことができ、それによって、鉤爪インサートを交換することができる。特に、耐蝕性や恒久的な安定性の点で材料に高度な要件が求められるとき、材料の選択の融通性は重要である。
【００３２】
好ましくは、保持突起は、それぞれの半割部から作り出される。この場合さらに、この保持突起は、固定端部の方向、すなわちそれぞれの半割部の最も近い軸方向端リムの方向に曲げられる自由端部を有するブラケットの様式によって構成される。その結果、鉤爪インサートを保持する通し穴の様式が形成される。この構造は、保持突起をバンドの材料から直接作り出すことを可能にし、鉤爪式固定装置の製造後に引き続き溶接する必要がない。その結果、製造が簡略化され、よりコスト効果的になる。
【００３３】
好ましい改善形態では、各鉤爪インサートに対して、少なくとも１つの安定化要素が設けられ、その安定化要素が、鉤爪インサートの鉤爪を実質的に半径内側方向の向きに安定させる。
【００３４】
これら安定化要素は、たとえば組立過程において、鉤爪インサートの鉤爪が半割部に平らに押し付けられ、それによって軸方向の引張固定が制約されることになるのを防止する。それによって、鉤爪式固定装置の組立を確実に失敗せずに行うことができる。この安定化要素は、具体的には、それぞれの半割部から作り出され、安定化要素の自由端部が、それぞれの半割部のバンドから半径方向内方へ曲げ出される。
【００３５】
それぞれの安定化要素は、好ましくは、フレア部を有し、具体的には、材料が半径方向内方へプレス加工される。このフレア部は、安定化要素を確実に強化するので、それによって、この場所にも溶接接合が必要なくなる。
【００３６】
好ましくは、さらに、支持要素が、安定化要素の向きを半径方向内方へ支持する。この構造の結果として、安定化要素を、前以て製造した鉤爪式固定装置に溶接する必要がないばかりか、半割部の既存の材料から作り出すことができる。このタイプの鉤爪式固定装置の製造は、既知の鉤爪式固定装置よりも簡略化され、コスト効果が増す。
【００３７】
好ましくは、半割部が開口部を有し、特に、開口部の少なくともリムが、周方向において半径方向内方へ曲げられている。
【００３８】
半割部のこれら開口部は、コネクタの密封要素を受け入れることができる。コネクタは、接続される２つのパイプの間または半径方向での封止構成要素として、鉤爪式固定装置内に配置される。鉤爪式固定装置は、コネクタを囲って、引張固定を達成する。この実施形態によって、封密かつ引張力に安全な接続をこのように形成することができる。
【００３９】
さらに、開口部は、必要な材料を削減する結果となり、それにより、鉤爪式固定装置の製造コストおよび重量を軽減する。
【００４０】
さらに、パイプ端部をこの領域で固定要素によって所定位置にフック留めすることができ、それによって、パイプへの鉤爪式固定装置の追加の固定を達成することができる。そのようなフック固定は、たとえば、鉤爪式固定装置の回転させることによって実現することができる。
【００４１】
さらに、開口部を設けることによって、鉤爪式固定装置の必要な弾性が確保され、それにより、鉤爪式固定装置の組立が簡単になる。
【００４２】
周方向に延在する開口部のリムは、一方で、開口部周りの領域の強化になる。他方で、半径方向内方に曲げられたリムは、鉤爪インサート用の側方境界として役立つ。半割部の半径方向内方へ曲げられた軸方向端リムとの組合せで、開口部の内方へ曲げられたリムは、一種の位置決めチャネルを構成する。これが、鉤爪インサートのアラインメントに役立ち、これら鉤爪インサートを一体に溶接して固定する必要がなくなる。
【００４３】
本発明のさらに別の特徴、詳細、および利点が、特許請求の範囲の文章、および図面を参照する例示的実施形態の以下の説明から明らかになる。
【図面の簡単な説明】
【００４４】
【図１】本発明による固定装置の図である。
【図２】本発明による鉤爪式固定装置の締付顎６の拡大図である。
【図３】鉤爪インサート１７を伴う半割部３、４の拡大図である。
【図４】鉤爪インサート１７を伴う締付顎６および半割部３、４の拡大図である。
【図５】半割部３、４の代替実施形態の図である。
【発明を実施するための形態】
【００４５】
図１は、２つの半割部３、４を有するバンド２を備える本発明による鉤爪式固定装置１を示す。半割部３、４の端部５には、それぞれ締付顎６が配置され、２つの半割部３、４のそれぞれ対向する締付顎６は、少なくとも１つの締付要素７によって連結される。締付要素７は、ここでは、スクリュー８の形態で表され、図１に示される実施形態では、締付顎の１対当たり２つの締付要素７が用いられている。
【００４６】
図２は、締付顎６の拡大図を示す。示された例示的実施形態では、締付顎６は、２つのブラケット９を有し、それぞれ自由端部１０が、同じブラケット９の固定端部１１に自由端部１０が載るように折り返される。具体的には、ブラケット９の自由端部１０が、対向する締付顎６の方に面しているブラケット９の固定端部１１の面に載る。ブラケット９の自由端部１０を折り返すことによって、空白空間１２ならびに２重材料層１３が形成され、２重材料層１３の領域には、締付要素７を受け入れる開口１４が設けられる。
【００４７】
安定化のために、また把持時の安全策として、締付顎６が、締付顎６の面に垂直に曲げられたリム１５を有するようになされる。リム１５は、この場合、好ましくは、対向する締付顎６の方向に曲げられる。また、半割部３、４の軸方向端リム１６が、好ましくは、半径方向内方に曲げられる。
【００４８】
図３には、半割部３、４の軸方向端リム１６にいずれも部分円形の鉤爪インサート１７を有する半割部３、４が示されている。この鉤爪インサート１７は、周方向に並んで配置され、互いに連結された複数の鉤爪１８を備える。対向する軸方向端リム１６にそれぞれ配置された鉤爪インサート１７は、互いに向けて傾けられている。軸方向端リム１６が半径方向内方へ曲げられた結果、鉤爪インサート１７は、屈曲縁部１９の領域に支承接触する。さらに、鉤爪インサート１７は、半径方向に事前伸張されており、それによって鉤爪インサートは所定位置に保持される。
【００４９】
好ましくは、半割部３、４のそれぞれの端部領域に配置された保持突起２０が設けられている。これら保持突起２０は、それぞれの半割部３、４から作り出され、半径方向内向きに成形された軸方向端リム１６に鉤爪インサート１７を押し付ける。これが、図４の拡大図に示されている。
【００５０】
さらに、好ましくは、少なくとも１つの安定化要素２１（図２）が設けられ、その安定化要素は、鉤爪インサート１７の鉤爪１８を実質的に半径内側方向の向きに安定させる。安定化要素２１は、同様に、それぞれの半割部３、４の母材から作り出される。支持要素２２が、安定化要素２１のアラインメントを半径方向内側の向きに支持する。支持要素２２は、たとえば、母材の楕円補強部から構成することができる。そのような支持要素２２が、たとえば、図２に示される。
【００５１】
好ましい実施形態では、鉤爪式固定装置１は、開口部２３を有し、その開口部は、一方で、鉤爪式固定装置を製造するのに必要な材料の量を減らし、他方で、パイプを固定するのに役立つ。この場合、開口部２３のリム２４を、周方向において半径方向内方へ曲げ、それによって、鉤爪インサート１７用の位置決めチャネルが形成される。これらの特徴が、たとえば図１に示される。
【００５２】
図５は、本発明による鉤爪式固定装置１の半割部３、４の代替実施形態を示す。半割部３、４は、その両端部５にそれぞれ締付顎６を有する。これら締付顎６は、それぞれブラケット９を有し、そのブラケットは、締付顎６の母材から作り出され、自由端部１０がブラケット９の固定端部１１に載る。ブラケット９は、軸方向に締付顎６の幅全体に亘って延在し、その結果、実質的に締付顎６の領域全体が２重材料層１３を有する。好ましくは、２つの開口１４が、締付要素７をそれぞれ送り通すために、２重材料層１３の領域に設けられる。
【００５３】
さらに、鉤爪式固定装置１、具体的には締付顎６の領域が、鉤爪式固定装置１に剛性を加えるフレア部２５を有する。これらフレア部２５は、鉤爪式固定装置１の母材から半径方向外方へプレス加工される。図５に示される実施形態では、各締付顎６に対して２つのフレア部２５が設けられている。さらに、自由端部１０は、フレア２５の領域を凹ませるように成形されている。
【００５４】
好ましくは、安定化要素２１もまた、安定化要素２１を強化するフレア部２６を有することとしてもよい。安定化要素２１のフレア部２６は、この場合、半径方向内方へ成形される。
【００５５】
さらに、ここでは、開口部２３のリム２４上に形成され、周方向で半割部３、４の実質的に中央に配置されている保持突起２０が示されている。図５では、鉤爪インサートは示されていない。製造および／または組立工程において、鉤爪インサート１７が挿入されると直ぐに、保持突起２０が鉤爪インサート１７を所定位置に保持するように保持突起２０が折り返される。
【００５６】
本発明は、前述の実施形態に限定されることはなく、多様に変更することができる。
【００５７】
特許請求の範囲、本説明、図面から明らかになる全ての特徴および利点は、設計の詳細、空間的配置、および方法のステップを含めて、それ自体および広く様々な組合せの両方において、本発明に帰属する。
【符号の説明】
【００５８】
１  鉤爪式固定装置
２  バンド
３  半割部
４  半割部
５  半割部３、４の端部
６  締付顎
７  締付要素
８  スクリュー
９  ブラケット
１０  ブラケット９の自由端部
１１  ブラケット９の固定端部
１２  空白空間
１３  ２重材料層
１４  開口
１５  締付顎６のリム
１６  半割部３、４の軸方向端リム
１７  鉤爪インサート
１８  鉤爪
１９  屈曲縁部
２０  保持突起
２１  安定化要素
２２  支持要素
２３  開口部
２４  開口部２３のリム
２５  フレア部
２６  安定化要素２１のフレア部
【図１】
2019532229.tif 000003
【図２】
2019532229.tif 000004
【図３】
2019532229.tif 000005
【図４】
2019532229.tif 000006
【図５】
2019532229.tif 000007
【国際調査報告】
2019532229.tif 000008
2019532229.tif 000009
2019532229.tif 000010
2019532229.tif 000011
2019532229.tif 000012
2019532229.tif 000013